(57)【要約】【課題】  画像や被写体のメタデータを簡易な手法で正確に入力することが可能なメタデータ付与装置およびメタデータ付与方法を提供する。【解決手段】  画像データに応じて被写体を含む画像を表示する表示手段と、前記表示手段に表示された画像の選択された被写体に応じたメタデータが入力される付与手段と、前記付与手段から入力された前記メタデータを前記画像データに関連付けて記録媒体に記録するメタデータ記録手段と、を備えたことを特徴とする。【選択図】      図１
2007052575.tif 000002
【特許請求の範囲】
【請求項１】
画像データに応じて被写体を含む画像を表示する表示手段と、
前記表示手段に表示された画像の選択された被写体に応じたメタデータが入力される付与手段と、
前記付与手段から入力された前記メタデータを前記画像データに関連付けて記録媒体に記録するメタデータ記録手段と、
を備えたことを特徴とするメタデータ付与装置。
【請求項２】
前記表示手段は、表示している被写体の候補をメタデータの選択肢として表示し、
前記付与手段は、前記表示手段において表示されている画像に含まれる被写体種類の候補が前記選択肢から選択されることと、被写体種類が前記選択肢から選択された場合に該選択肢に対応付けられる画像上の位置もしくは大きさの入力を受け付けること、とが可能に構成されており、
前記メタデータ記録手段は、選択された前記選択肢をメタデータとして記録すると共に、前記付与手段により指定された画像上の被写体の位置もしくは大きさを取得してメタデータとして記録する、
ことを特徴とする請求項１記載のメタデータ付与装置。
【請求項３】
前記表示手段は、表示している被写体の候補をメタデータの選択肢として表示し、
前記付与手段は、前記表示手段において表示されている画像に含まれる被写体種類の候補と被写体部位の候補とが前記選択肢から選択されることと、被写体あるいは被写体部位が前記選択肢から選択された場合に該選択肢に対応付けられる画像上の位置もしくは大きさの入力を受け付けること、とが可能に構成されており、
前記メタデータ記録手段は、選択された前記選択肢をメタデータとして記録すると共に、前記付与手段により指定された画像上の被写体の位置もしくは大きさを取得してメタデータとして記録する、
ことを特徴とする請求項１記載のメタデータ付与装置。
【請求項４】
前記メタデータ記録手段は、前記被写体の位置もしくは大きさを取得できない場合に、取得できなかった旨を記録する、
ことを特徴とする請求項２または請求項３に記載のメタデータ付与装置。
【請求項５】
前記表示手段は、前記被写体の位置もしくは大きさを取得できない場合の理由の候補を表示することが可能に構成されており、
前記付与手段は、前記表示手段において表示されている理由の候補の入力を受け付けることが可能に構成されている、
ことを特徴とする請求項４記載のメタデータ付与装置。
【請求項６】
前記表示手段は、表示中の画像に加え、前記付与手段で選択あるいは入力された被写体種類と同種の被写体モデルを表示し、
前記付与手段は、前記被写体モデルの表示画面上での角度を変更することが可能に構成されており、
前記メタデータ記録手段は、前記付与手段により変更された被写体モデルから被写体の角度を取得してメタデータとして記録する、
ことを特徴とする請求項１乃至請求項５のいずれかに記載のメタデータ付与装置。
【請求項７】
前記メタデータ記録手段は、前記被写体の角度について取得できない場合に、取得できなかった旨を記録する、
ことを特徴とする請求項６に記載のメタデータ付与装置。
【請求項８】
前記表示手段は、前記被写体の角度を取得できない場合の理由の候補を表示することが可能に構成されており、
前記付与手段は、前記表示手段において表示されている理由の候補の入力を受け付けることが可能に構成されている、
ことを特徴とする請求項７記載のメタデータ付与装置。
【請求項９】
前記付与手段は、任意の文字列の入力を受け付けることが可能に構成されている、
ことを特徴とする請求項１乃至請求項８のいずれかに記載のメタデータ付与装置。
【請求項１０】
前記表示手段は、表示している画像の構図の候補をメタデータの選択肢として表示し、
前記付与手段は、前記表示手段において表示されている画像の構図の候補が前記選択肢から選択されることが可能に構成されており、
前記メタデータ記録手段は、選択された前記選択肢をメタデータとして記録する、ことを特徴とする請求項１記載のメタデータ付与装置。
【請求項１１】
テスト用画像データを保持しており、該テスト用画像データを前記表示手段に表示させて前記付与手段でメタデータの入力を受け付ける動作を複数回繰り返して実行させ、複数回入力された前記メタデータから、初回の入力値と収束した入力値との差分を補正値として抽出しておき、前記表示手段に通常の画像データを表示して前記付与手段にメタデータが入力された場合に、該メタデータを前記補正値により補正する制御手段を有する、
ことを特徴とする請求項１乃至請求項１０のいずれかに記載のメタデータ付与装置。
【請求項１２】
入力された画像データを自動認識し、画像あるいは被写体に応じたメタデータを抽出する自動認識手段と、
前記付与手段から入力された前記メタデータと、前記自動認識手段で抽出された前記メタデータとを比較し、前記自動認識についての評価を行う評価手段とを備える、
ことを特徴とする請求項１乃至請求項１０のいずれかに記載のメタデータ付与装置。
【請求項１３】
前記メタデータ記録手段は、前記付与手段から入力された前記メタデータもしくは前記自動認識手段で抽出された前記メタデータの少なくとも一方と、前記比較手段で比較された比較結果データとを、前記画像データに関連付けて記録媒体に記録する、
ことを特徴とする請求項１２記載のメタデータ付与装置。
【請求項１４】
前記請求項１乃至請求項１３のいずれかに記載のメタデータ付与装置を用いて、
画像データに応じて被写体を含む画像を表示し、
表示された画像の選択された被写体に応じたメタデータの入力を受け付け、
入力された前記メタデータを前記画像データに関連付けて記録媒体に記録する、
を備えたことを特徴とするメタデータ付与方法。
【発明の詳細な説明】
【技術分野】
【０００１】
本発明は各種画像データにメタデータを付与するメタデータ付与装置およびメタデータ付与方法に関し、特に、画像や被写体に関するメタデータを正確かつ簡単に入力することが可能なメタデータ付与装置およびメタデータ付与方法に関する。
【背景技術】
【０００２】
画像データにおける画像や被写体の内容などに応じて、メタデータと呼ばれる属性情報を付与し、このメタデータを画像データに関連づけて記録することが従来から一般に行われている。
【０００３】
なお、このようなメタデータの付与は画像の自動認識による場合と、オペレータによる認識による場合とがある。
このようなメタデータの付与と記録とに付いては、動画の収録時に自動的に行うものが以下の特許文献１に記載されている。
【０００４】
また、オペレータが認識して手動で入力するものとしては、以下の特許文献２や特許文献３などに記載されている。
【特許文献１】特開２００５−３９３５４号公報（第１頁、図１）
【特許文献２】特開２０００−５７３６２号公報（第１頁、図１）
【特許文献３】特開２００１−２７２９６３号公報（第１頁、図１）
【発明の開示】
【発明が解決しようとする課題】
【０００５】
以上の特許文献１の自動入力の手法では、画像に含まれる文字情報を自動認識してメタデータを付与しているため、限定された状況でしか動作することができず、かつ、限定されたメタデータしか得ることができないという問題を有している。
【０００６】
以上の特許文献２の手動入力の手法は、画像に含まれるゴミの位置をスタイラスペンなどを用いて指定入力するものである。すなわち、位置情報しか入力できないため、限定されたメタデータである。特許文献３についても、ポインティングデバイスを用いて位置情報を入力するようにしている。
【０００７】
なお、一般的な画像管理ソフトウェアなどでもメタデータを扱うことが可能になってきており、任意の物体の位置情報や、画像に任意のキーワードを付与するなどが可能になっている。こうしたメタデータの付加に際して、オリジナルファイルにいっさい変更を加えず、カタログと呼ばれるオリジナルファイルとは別のデータベース内に、これらのデータを格納するようにしている。
【０００８】
本発明は以上の課題に鑑みてなされたものであって、画像や被写体のメタデータを簡易な手法で正確に入力することが可能なメタデータ付与装置およびメタデータ付与方法を提供する。
【課題を解決するための手段】
【０００９】
すなわち、上記の課題を解決する手段としての本願発明は以下に述べるようなものである。
（１）請求項１記載の発明は、画像データに応じて被写体を含む画像を表示する表示手段と、前記表示手段に表示された画像の選択された被写体に応じたメタデータが入力される付与手段と、前記付与手段から入力された前記メタデータを前記画像データに関連付けて記録媒体に記録するメタデータ記録手段と、を備えたことを特徴とするメタデータ付与装置である。
【００１０】
（２）請求項２記載の発明は、前記表示手段は、表示している被写体の候補をメタデータの選択肢として表示し、前記付与手段は、前記表示手段において表示されている画像に含まれる被写体種類候補が前記選択肢から選択されることと、被写体種類が前記選択肢から選択された場合に該選択肢に対応付けられる画像上の位置もしくは大きさの入力を受け付けること、とが可能に構成されており、前記メタデータ記録手段は、選択された前記選択肢をメタデータとして記録すると共に、前記付与手段により指定された画像上の被写体の位置もしくは大きさを取得してメタデータとして記録する、ことを特徴とする請求項１記載のメタデータ付与装置である。
【００１１】
（３）請求項３記載の発明は、前記表示手段は、表示している被写体の候補をメタデータの選択肢として表示し、前記付与手段は、前記表示手段において表示されている画像に含まれる被写体種類の候補と被写体部位の候補とが前記選択肢から選択されることと、被写体あるいは被写体部位が前記選択肢から選択された場合に該選択肢に対応付けられる画像上の位置もしくは大きさの入力を受け付けること、とが可能に構成されており、前記メタデータ記録手段は、選択された前記選択肢をメタデータとして記録すると共に、前記付与手段により指定された画像上の被写体の位置もしくは大きさを取得してメタデータとして記録する、ことを特徴とする請求項１記載のメタデータ付与装置である。
【００１２】
（４）請求項４記載の発明は、前記メタデータ記録手段は、前記被写体の位置もしくは大きさを取得できない場合に、取得できなかった旨を記録する、ことを特徴とする請求項２または請求項３に記載のメタデータ付与装置である。
【００１３】
（５）請求項５記載の発明は、前記表示手段は、前記被写体の位置もしくは大きさを取得できない場合の理由の候補を表示することが可能に構成されており、前記付与手段は、前記表示手段において表示されている理由の候補の入力を受け付けることが可能に構成されている、ことを特徴とする請求項４記載のメタデータ付与装置である。
【００１４】
（６）請求項６記載の発明は、前記表示手段は、表示中の画像に加え、前記付与手段で選択あるいは入力された被写体種類と同種の被写体モデルを表示し、前記付与手段は、前記被写体モデルの表示画面上での角度を変更することが可能に構成されており、前記メタデータ記録手段は、前記付与手段により変更された被写体モデルから被写体の角度を取得してメタデータとして記録する、ことを特徴とする請求項１乃至請求項５のいずれかに記載のメタデータ付与装置である。
【００１５】
（７）請求項７記載の発明は、前記メタデータ記録手段は、前記被写体の角度について取得できない場合に、取得できなかった旨を記録する、ことを特徴とする請求項６に記載のメタデータ付与装置である。
【００１６】
（８）請求項８記載の発明は、前記表示手段は、前記被写体の角度を取得できない場合の理由の候補を表示することが可能に構成されており、前記付与手段は、前記表示手段において表示されている理由の候補の入力を受け付けることが可能に構成されている、ことを特徴とする請求項７記載のメタデータ付与装置である。
【００１７】
（９）請求項９記載の発明は、前記付与手段は、任意の文字列の入力を受け付けることが可能に構成されている、ことを特徴とする請求項１乃至請求項８のいずれかに記載のメタデータ付与装置である。
【００１８】
（１０）請求項１０記載の発明は、前記表示手段は、表示している画像の構図の候補をメタデータの選択肢として表示し、前記付与手段は、前記表示手段において表示されている画像の構図の候補が前記選択肢から選択されることが可能に構成されており、前記メタデータ記録手段は、選択された前記選択肢をメタデータとして記録する、ことを特徴とする請求項１記載のメタデータ付与装置である。
【００１９】
（１１）請求項１１記載の発明は、テスト用画像データを保持しており、該テスト用画像データを前記表示手段に表示させて前記付与手段でメタデータの入力を受け付ける動作を複数回繰り返して実行させ、複数回入力された前記メタデータから、初回の入力値と収束した入力値との差分を補正値として抽出しておき、前記表示手段に通常の画像データを表示して前記付与手段にメタデータが入力された場合に、該メタデータを前記補正値により補正する制御手段を有する、ことを特徴とする請求項１乃至請求項１０のいずれかに記載のメタデータ付与装置である。
【００２０】
（１２）請求項１２記載の発明は、入力された画像データを自動認識し、画像あるいは被写体に応じたメタデータを抽出する自動認識手段と、前記付与手段から入力された前記メタデータと、前記自動認識手段で抽出された前記メタデータとを比較し、前記自動認識についての評価を行う評価手段とを備える、ことを特徴とする請求項１乃至請求項１０のいずれかに記載のメタデータ付与装置である。
【００２１】
（１３）請求項１３記載の発明は、前記メタデータ記録手段は、前記付与手段から入力された前記メタデータもしくは前記自動認識手段で抽出された前記メタデータの少なくとも一方と、前記比較手段で比較された比較結果データとを、前記画像データに関連付けて記録媒体に記録する、ことを特徴とする請求項１２記載のメタデータ付与装置である。
【００２２】
（１４）請求項１４記載の発明は、前記請求項１乃至請求項１３のいずれかに記載のメタデータ付与装置を用いて、画像データに応じて被写体を含む画像を表示し、表示された画像の選択された被写体に応じたメタデータの入力を受け付け、入力された前記メタデータを前記画像データに関連付けて記録媒体に記録する、を備えたことを特徴とするメタデータ付与方法である。
【発明の効果】
【００２３】
この発明では、以下のような効果を得ることができる。
（１）請求項１記載の発明では、画像データに応じて被写体を含む画像を表示手段に表示し、表示された画像の選択された被写体に応じたメタデータがオペレータから付与手段を介して入力され、入力されたメタデータをメタデータ記録手段が画像データに関連付けて記録媒体に記録する。
【００２４】
これにより、画像に関するメタデータを簡易な手法で正確に入力することが可能になる。
（２）請求項２記載の発明では、表示している被写体種類の候補をメタデータの選択肢として表示しておき、被写体種類の候補について選択された選択肢をメタデータとして記録すると共に、指定された画像上の被写体の位置もしくは大きさを取得してメタデータとして記録する。
【００２５】
これにより、画像に含まれる被写体となっている物体の種類と位置情報とが簡易な手法で正確に入力することが可能になる。
（３）請求項３記載の発明では、表示している被写体種類の候補と被写体部位の候補とをメタデータの選択肢として表示しておき、被写体種類の候補と被写体部位の候補とについて選択された選択肢をメタデータとして記録すると共に、指定された画像上の被写体の位置もしくは大きさを取得してメタデータとして記録する。
【００２６】
これにより、画像に含まれる被写体となっている物体の種類とそれに含まれる各部位と位置情報とについて、簡易な手法で正確に入力することが可能になる。
（４）請求項４記載の発明では、被写体の位置もしくは大きさを取得できない場合に、メタデータ記録手段は、取得できなかった旨を記録する。
【００２７】
これにより、画像の被写体となっている物体の位置もしくは大きさを特定できない場合であっても、その情報を簡単に入力することが可能になる。
（５）請求項５記載の発明では、被写体の位置もしくは大きさを取得できない場合の理由の候補を表示手段で表示し、表示されている理由の候補についてオペレータからの選択を付与手段を介して受け付ける。
【００２８】
これにより、画像の被写体となっている物体の位置もしくは大きさを特定できない場合であっても、理由の候補の選択によって、その情報を簡単に入力することが可能になる。
（６）請求項６記載の発明では、表示手段で表示中の画像に加え、選択あるいは入力された被写体種類と同種の被写体モデルを表示しておき、オペレータによる付与手段を介しての、被写体モデルの表示画面上での角度の変更の操作を受けて、メタデータ記録手段は、変更された被写体モデルから被写体の角度を取得してメタデータとして記録する。
【００２９】
このように、被写体モデルを表示しておき、被写体モデルの表示画面上での角度の変更の操作を付与手段から受け入れることで、被写体の角度について、簡易な手法で正確に入力することが可能になる。
【００３０】
（７）請求項７記載の発明では、被写体の角度について取得できない場合に、取得できなかった旨をメタデータ記録手段が記録する。
これにより、画像の被写体となっている物体の角度について特定できない場合であっても、その情報を簡単に入力することが可能になる。
【００３１】
（８）請求項８記載の発明では、被写体の角度を取得できない場合の理由の候補を表示手段で表示し、表示されている理由の候補についてオペレータからの選択を付与手段を介して受け付ける。
【００３２】
これにより、画像の被写体となっている物体の角度について特定できない場合であっても、理由の候補の選択によって、その情報を簡単に入力することが可能になる。
（９）請求項９記載の発明では、オペレータからの任意の文字列のメタデータの入力を付与手段を介して受け付ける。
【００３３】
これにより、画像や被写体や被写体部位に関して任意の文字列による各種のメタデータを簡易な手法で入力することが可能になる。
（１０）請求項１０記載の発明では、表示している画像の構図の候補をメタデータの選択肢として表示手段に表示し、表示されている画像の構図の候補についてオペレータからの選択を付与手段を介して受け付け、画像の構図の候補について選択された選択肢をメタデータとして記録する。
【００３４】
このように、画像と共に構図の候補を表示しておき、構図の候補の選択を付与手段から受け入れることで、画像の構図の候補について、簡易な手法で正確に入力することが可能になる。
【００３５】
（１１）請求項１１記載の発明では、テスト用画像データを表示手段に表示させて付与手段でメタデータの入力を受け付ける動作を複数回繰り返して、初回の入力値と収束した入力値との差分を補正値として抽出しておき、通常の画像データを表示手段に表示して付与手段にオペレータからメタデータが入力された場合に、該メタデータを補正値によって補正する。
【００３６】
このように初回の入力値と収束した入力値との差分から補正値を抽出しておいて、通常のメタデータの入力を補正することで、安定した入力値の傾向に応じた補正が可能になり、より正確なメタデータの入力が可能になる。
【００３７】
（１２）請求項１２記載の発明では、付与手段を介してオペレータにより入力されたメタデータと、自動認識手段で抽出されたメタデータとを比較し、自動認識についての評価を評価手段にて行う。
【００３８】
このように、オペレータにより入力されたメタデータと自動認識されたメタデータとを比較することで、自動認識手段で自動認識されたメタデータを評価することが可能になり、統計をとること等により自動認識の弱点などを把握することが可能になる。
【００３９】
（１３）請求項１３記載の発明では、付与手段を介してオペレータから入力されたメタデータもしくは自動認識手段で抽出されたメタデータの少なくとも一方と、比較手段で比較された比較結果データとを前記画像データに関連付けて記録媒体に記録する。
【００４０】
このように、オペレータにより入力されたメタデータと自動認識されたメタデータとを比較し、手動入力あるいは自動認識されたメタデータの少なくとも一方と比較結果データとを記録することで、自動認識手段で自動認識されたメタデータを評価することが可能になり、統計をとること等により自動認識の弱点などを把握することが可能になる。
【００４１】
（１４）請求項１４記載の発明では、上記（１）〜（１３）のいずれかに従い、画像データに応じて被写体を含む画像を表示手段に表示し、表示された画像の選択された被写体に応じたメタデータがオペレータから付与手段を介して入力され、入力されたメタデータをメタデータ記録手段が画像データに関連付けて記録媒体に記録する。
【００４２】
これにより、画像や被写体に関するメタデータを簡易な手法で正確に入力することが可能になる。また、画像に含まれる被写体となっている物体の種類とそれに含まれる各部位と位置情報とについて、簡易な手法で正確に入力することが可能になる。
【発明を実施するための最良の形態】
【００４３】
以下、図面を参照して本発明を実施するための最良の形態（以下、実施形態）を詳細に説明する。
〈第一実施形態〉
まず、図１以降を参照して、本発明のメタデータ付与装置およびメタデータ付与方法をメタデータ付与装置１００に適用した場合の第一実施形態の電気的構成の具体例を説明する。
【００４４】
すなわち、本実施形態において、メタデータ付与装置の動作はメタデータ付与方法の処理手順であり、メタデータ付与プログラムの実行手順はメタデータ付与装置の動作はまたはメタデータ付与方法の処理手順である。
【００４５】
〈構成〉
ここで、メタデータ付与装置１００は以下の各手段から構成されている。なお、図１は本実施形態のメタデータ付与装置１００の主要部分の機能的な構成と共に具体的な回路や装置の一例を示すブロック図である。
【００４６】
また、このメタデータ付与装置１００の構成は、メタデータ付与方法を実行するための実現手段であり、また、メタデータ付与プログラムの各ルーチンでもある。
ここで、１１０は、メタデータ付与装置１００内でメタデータ付与のための各種制御を実行する制御部である。この制御部１１０は、メタデータ付与装置１００内にあって、入力されたメタデータを画像データに関連付けて記録媒体に記録するメタデータ記録手段としての制御を行う。
【００４７】
また、制御部１１０は、各部を制御する制御手段の中心部分としてのＣＰＵ１０１と、各種データや各種プログラムが格納されているＲＯＭ１０２と、画像データが展開されて処理される作業エリアとしてのＲＡＭ１０３と、を有している。
【００４８】
１７０はメタデータ付与装置１００に対してオペレータ（使用者）が各種指示を入力したり、メタデータ付与の入力を実行する付与手段としての操作部、１８０はメタデータ付与装置１００の動作時におけるメタデータ付与プログラム動作時の各種画像や各種状態を表示する表示手段としての表示部、１９０は画像データやメタデータなどが記録される記録媒体としてのＨＤＤである。また、２００は画像データやメタデータなどが記録される記録媒体としての外部記録装置である。
【００４９】
なお、以上のメタデータ付与装置１００では、制御部１１０またはＣＰＵ１０１の制御２より、以下に述べるような特徴的な動作を行う。
（１）この実施形態では、制御部１１０の指示により画像データに応じて被写体を含む画像を表示部１８０に表示し、表示された画像の選択された被写体に応じたメタデータ（被写体を識別する情報としてのメタデータ）がオペレータから操作部１７０を介して入力され、入力されたメタデータを制御部１１０が画像データに関連付けてＨＤＤ１９０または外部記憶装置２００に記録する。
【００５０】
（２）この実施形態では、制御部１１０の指示により被写体種類の候補をメタデータの選択肢として表示しておき、被写体種類の候補について選択された選択肢をメタデータとして記録すると共に、指定された画像上の被写体の位置もしくは大きさを取得してメタデータとして記録する。
【００５１】
（３）この実施形態では、制御部１１０の指示により被写体種類の候補と被写体部位の候補とをメタデータの選択肢として表示しておき、被写体種類の候補と被写体部位の候補とについて選択された選択肢をメタデータとして記録すると共に、指定された画像上の被写体の位置もしくは大きさを取得してメタデータとして記録する。
【００５２】
（４）この実施形態では、被写体の位置もしくは大きさを取得できない場合に、制御部１１０は、取得できなかった旨を記録する。
（５）この実施形態では、制御部１１０の指示により被写体の位置もしくは大きさを取得できない場合の理由の候補を表示部１８０で表示し、表示されている理由の候補についてオペレータからの選択を操作部１７０を介して受け付ける。
【００５３】
（６）この実施形態では、制御部１１０の指示により、表示部１８０で表示中の画像に加え、選択あるいは入力された被写体種類と同種の被写体モデルを表示しておき、オペレータによる操作部１７０を介しての、被写体モデルの表示画面上での角度の変更の操作を受けて、制御部１１０は、変更された被写体モデルから被写体の角度を取得してメタデータとして記録する。
【００５４】
（７）この実施形態では、被写体の角度について取得できない場合に、取得できなかった旨を制御部１１０が記録する。
（８）この実施形態では、制御部１１０の指示により、被写体の角度を取得できない場合の理由の候補を表示部１８０で表示し、表示されている理由の候補についてオペレータからの選択を操作部１７０を介して受け付ける。
【００５５】
（９）この実施形態では、制御部１１０の指示により、オペレータからの任意の文字列のメタデータの入力を操作部１７０を介して受け付ける。
（１０）この実施形態では、制御部１１０の指示により画像の構図の候補をメタデータの選択肢として表示部１８０に表示し、表示されている画像の構図の候補についてオペレータからの選択を操作部１７０を介して受け付け、画像の構図の候補について選択された選択肢をメタデータとして記録する。
【００５６】
（１１）この実施形態では、制御部１１０の指示により、テスト用画像データを表示部１８０に表示させて操作部１７０でメタデータの入力を受け付ける動作を複数回繰り返して、初回の入力値と収束した入力値との差分を補正値として抽出しておき、通常の画像データを表示部１８０に表示して操作部１７０にオペレータからメタデータが入力された場合に、該メタデータを補正値によって補正する。
【００５７】
（１２）この実施形態では、制御部１１０の指示により、以上の選択肢の選択や文字入力などによるメタデータを、階層的にＸＭＬなどのマークアップ言語で記述して、画像データに関連付けてＨＤＤ１９０または外部記憶装置２００に記録する。
【００５８】
（１３）この実施形態では、制御部１１０の指示により、メタデータを画像データに関連付けてＨＤＤ１９０または外部記憶装置２００に記録する際に、メタデータを画像データ中に付帯情報として記録する。
【００５９】
（１４）あるいは、この実施形態では、制御部１１０の指示により、メタデータを画像データに関連付けてＨＤＤ１９０または外部記憶装置２００に記録する際に、メタデータを画像データとは別のデータとして記録する。
【００６０】
（１５）この実施形態では、制御部１１０の指示により、画像データにメタデータを付与する際に、任意の項目を追加する機能を有する。
（１６）この実施形態では、制御部１１０の指示により、以上の（１）〜（１５）のように操作部１７０を介してオペレータにより入力されたメタデータと、制御部１１０内に設けられた自動認識手段で抽出されたメタデータとを比較し、自動認識についての評価を制御部１１０内に設けられた評価手段にて行う。
【００６１】
（１７）この実施形態では、制御部１１０の指示により、以上の（１）〜（１５）のように操作部１７０を介してオペレータから入力されたメタデータ、もしくは、制御部１１０内に設けられた自動認識手段で抽出されたメタデータの少なくとも一方と、制御部１１０内に設けられた比較手段で比較された比較結果データ（一致度、類似度など）とを、画像データに関連付けてＨＤＤ１９０または外部記憶装置２００に記録する。
【００６２】
（１８）この実施形態では、制御部１１０の指示により、以上の（１）〜（１５）のように操作部１７０を介してオペレータから入力されたメタデータ、もしくは、制御部１１０内に設けられた自動認識手段で抽出されたメタデータの少なくとも一方を記録する際に、制御部１１０内に設けられた比較手段で比較された比較結果データ（一致度、類似度など）をメタデータに追記する形で記録する。
【００６３】
（１９）この実施形態では、制御部１１０の指示により、以上の（１）〜（１５）のように操作部１７０を介してオペレータから入力されたメタデータと、制御部１１０内に設けられた自動認識手段で抽出されたメタデータとを比較した場合には、自動認識の条件（用いたプログラムのバージョン,用いた学習データ、評価日など）を、記録されたメタデータに追記する。
【００６４】
（２０）この実施形態では、制御部１１０の指示により、以上の（１）〜（１５）のように操作部１７０を介してオペレータから入力されたメタデータと、制御部１１０内に設けられた自動認識手段で抽出されたメタデータとを比較した場合であって、異なった条件で再び評価した場合には、メタデータに追記されている評価結果を、新たに評価した結果によって更新する。
【００６５】
（２１）あるいは、この実施形態では、制御部１１０の指示により、以上の（１）〜（１５）のように操作部１７０を介してオペレータから入力されたメタデータと、制御部１１０内に設けられた自動認識手段で抽出されたメタデータとを比較した場合であって、異なった条件で再び評価した場合には、メタデータに追記されている評価結果を履歴として残しつつ、新たに評価した結果を追記する。
【００６６】
（２２）この実施形態では、制御部１１０の指示により、以上の（１）〜（１５）のように操作部１７０を介してオペレータから入力されたメタデータから自動認識に用いる学習データを作成する学習データ作成手段を制御部１１０内に備え、作成された学習データによって学習する自動認識学習手段を制御部１１０内に備え、自動認識に関する学習データの作成と学習を行う。
【００６７】
（２３）この実施形態では、制御部１１０の指示により、以上の（１）〜（１５）のように操作部１７０を介してオペレータから入力されたメタデータから自動認識に用いる辞書データを作成する辞書データ作成手段を制御部１１０内に備え、作成された辞書データによって自動認識する自動認識手段を制御部１１０内に備え、辞書データに基づいた自動認識を行う。
【００６８】
（２４）この実施形態では、制御部１１０の指示により、以上の（１）〜（１５）のように操作部１７０を介してオペレータから入力されたメタデータから自動認識に用いるテンプレートを作成するテンプレート作成手段を制御部１１０内に備え、作成されたテンプレートによってテンプレートマッチング処理をするテンプレートマッチング処理手段を制御部１１０内に備え、作成したテンプレートによりテンプレートマッチング処理を行う。
【００６９】
（２５）この実施形態では、制御部１１０の指示により、以上の（１）〜（１５）のように操作部１７０を介してオペレータから入力されたメタデータに従って画像を分類する画像分類手段を制御部１１０内に備え、メタデータの作成と該メタデータに基づく画像の分類処理とを実行する。
【００７０】
〈動作〉
以上の構成において、制御部１１０は、メタデータ付与プログラムに従って、以下に述べるような動作を行う。
【００７１】
まず、制御部１１０は、ＨＤＤ１９０または外部記憶装置２００に記憶されている複数の画像データを、たとえば図３に示すように、表示部１８０に縮小状態で一覧表示し、メタデータを付与すべき画像の選択を受け付ける（図２Ｓ１）。
【００７２】
オペレータがポインティングデバイスを用いて、いずれかの縮小画像をクリックするなどして選択すると、制御部１１０は選択された画像をメタデータ付与対象画像として、図４のように拡大表示する。この図４では、表示部１８０の表示画面の中央部左半分にメタデータ付与対象画像が表示された様子を示している。
【００７３】
ここで、制御部１１０の指示により表示部１８０の画像の右隣上部に、メタデータ付与対象画像が画像中の主要被写体であるのか背景であるのかといった候補が選択肢として表示されている（図４（１））。
【００７４】
ここでは、オペレータが「主要被写体」をメタデータ付与対象画像として選択したと仮定する（図４（１）で「主要被写体」にチェックマーク）。
すると、制御部１１０の指示により表示部１８０の画像の右隣中央部に、メタデータ付与対象画像である主要被写体が、人物・男、人物・女、建物、道路、などのいずれかであるのかといった候補が選択肢として表示されている（図２Ｓ３、図４（２））。
【００７５】
ここでは、オペレータが「人物」「女」をメタデータ付与対象画像の種類として選択したと仮定する（図２Ｓ４、図４（２）で「人物」「女」にチェックマーク）。このオペレータからの選択が確定すると（図２Ｓ５でＯＫ）、制御部１１０は次のステップに処理を進める。
【００７６】
すると、制御部１１０の指示により表示部１８０の右端部に、さらに、メタデータ付与対象画像である主要被写体が、顔、手、胴体、足、などのいずれであるのかといった被写体種類の候補が選択肢として表示されている（図２Ｓ６、図４（３））。
【００７７】
ここでは、オペレータが「顔」をメタデータ付与対象画像の被写体として選択したと仮定する（図２Ｓ７、図４（２）で「顔」にチェックマーク）。このオペレータからの選択が確定すると（図２Ｓ８でＯＫ）、制御部１１０は次のステップに処理を進める。
【００７８】
すると、制御部１１０の指示により、表示部１８０の左下部の縮小された画像上で、被写体の大きさや位置の入力を受け付ける入力画面を表示する（図２Ｓ９）。この段階では、たとえば、画面左下の縮小画像（図５（１））上で、オペレータが操作部１７０のポインティングデバイスなどを用いて、メタデータを付与しようとしている所望の被写体の上に所定の枠を移動させる。
【００７９】
ここで、制御部１１０は操作部１７０からの操作を受けて、被写体上の枠の移動に伴い、その枠の部分の拡大画像を表示部１８０の表示画面の中央左半分に表示する（図５（２））。ここで、オペレータは、操作部１７０のポインティングデバイスを用いて、被写体の大きさに合致するように枠の大きさを調整する。この図５の場合には、被写体が顔であるので、オペレータはポインティングデバイスを用いて、顔全体を囲うように枠の大きさを調整する。
【００８０】
以上のようにして、上述したステップで被写体として選択された物体上に、オペレータが位置や大きさを合致させた枠を表示させることで、制御部１１０は被写体の位置（画像上での位置）と被写体の大きさ（画像上での画素サイズ）を取得する（図２Ｓ１０）。ここで、制御部１１０は、以上のように枠によって取得した被写体の大きさに相当する画素サイズを表示部１８０の表示画面に表示する（図５（３））。
【００８１】
なお、以上のようにオペレータが設定した枠によっては、被写体の顔が髪の毛に隠れたり、障害物によって隠れたり、明るすぎたり、暗すぎたりといった理由で、制御部１１０が被写体の位置や大きさを取得できない場合もありうる。そのような場合には、制御部１１０は、その理由の候補となる選択肢を表示部１８０の表示画面上に表示し（図６（１））、オペレータに選択させる。この場合には、被写体の位置や大きさのメタデータの代わりに、位置や大きさを取得できない理由の選択された選択肢がメタデータとして付与されることになる。
【００８２】
そして、以上のようなオペレータからの操作による被写体の位置と被写体の大きさとの取得が確定すると（図２Ｓ１１でＯＫ）、制御部１１０は次のステップに処理を進める。
すると、制御部１１０の指示により、表示部１８０の中央部左半分の画像上で、被写体の部位（アイテム）の位置と名称との入力を受け付ける入力画面を表示する（図２Ｓ１２、図７）。このため、制御部１１０の指示により、被写体の画像と、それに対応する部位の名称の候補を選択肢として表示部１８０に表示している。
【００８３】
この段階では、たとえば、画面中央左側の画像上で、オペレータが操作部１７０のポインティングデバイスなどを用いて、メタデータを付与しようとしている所望の被写体の部位上の位置をクリックしてドット等を形成する（図７（１））。そして、ドットを形成した被写体の部位に対応する名称の選択肢を選択する（図７（２））。ここでは、被写体の画像上で右目尻の位置にドットを形成し、それに対応して「右目の目尻」という名称の選択肢を選択した様子を一例として示している（図２Ｓ１３）。なお、被写体の部位の名称の選択肢の選択と、該当する被写体の部位の位置の画像上でのクリックとは、どちらが先であっても、関連付けがなされれば問題はない。
【００８４】
ここでは、被写体が顔であったため、被写体の部位は、右眉毛、右黒目、右目尻、右目頭、右眼球上端、右眼球下端、左眉毛、左黒目、左目尻、左目頭、左眼球上端、左眼球下端、鼻頭、右鼻端、左鼻端唇、右耳たぶ、左耳たぶ、顎、などとなっている。被写体が他のものである場合には、被写体の部位もそれに応じたものになる。
【００８５】
そして、制御部１１０の指示により、以上のようなオペレータからの操作による被写体の部位の位置と名称との入力を、必要な分だけ繰り返して実行する（図２Ｓ１４）。この被写体の部位の入力が確定すると（図２Ｓ１４でＯＫ）、制御部１１０は次のステップに処理を進める。
【００８６】
ここで、制御部１１０は、表示部１８０の表示画面の中央左半分に表示している被写体の拡大画像のそばに、選択あるいは入力された被写体種類と同種の被写体モデルを表示しておく（図２Ｓ１５、図８（１））。
【００８７】
そして、制御部１１０の指示により、オペレータによる操作部１７０のポインティングデバイスなどを介しての、被写体モデルの表示画面上での角度の変更の操作（被写体モデルの回転の操作、図８（２））を受け付ける。そして、メタデータ記録手段としての制御部１１０は、向きが変更された被写体モデルから被写体の角度を取得してメタデータを生成する（図２Ｓ１６）。この被写体モデルの角度の入力が確定すると（図２Ｓ１７でＯＫ）、制御部１１０は次のステップに処理を進める。
【００８８】
なお、以上の入力や選択では、候補となる選択肢を選択するようにしていたが、任意の文字列を受け付けるようにしてもよい。また、初期設定の段階で、任意の項目や任意の候補を追加できるようにしてもよい。
【００８９】
以上のようにして、画像の種類、被写体の種類、被写体の位置・大きさ、被写体の部位の種類、被写体の角度についての入力や選択に修正がなければ、制御部１１０は以上の入力や選択の内容からメタデータを生成する。そして、制御部１１０は、生成したメタデータをメタデータ付与対象画像と関連づけた状態で、ＨＤＤ１９０または外部記憶装置２００に記録する。
【００９０】
ここで、制御部１１０の指示により、以上の選択肢の選択や文字入力などによるメタデータを、階層的にＸＭＬなどのマークアップ言語で記述して、画像データに関連付けてＨＤＤ１９０または外部記憶装置２００に記録する。
【００９１】
図９はマークアップ言語としてＸＭＬによって記述されたメタデータの一例である。ここでは、aaa.jpgという画像データに含まれる被写体として「顔」が選択されており、かつ、被写体の部位として、右眉中央、左眉中央、右目、左目の位置が指定された場合のメタデータの記述の様子を示している。
【００９２】
なお、この実施形態では、制御部１１０の指示により、メタデータを画像データに関連付けてＨＤＤ１９０または外部記憶装置２００に記録する際に、メタデータを画像データ中に付帯情報として記録する。この場合、画像データのヘッダなどの内部にメタデータを記録することができる。あるいは、この実施形態では、制御部１１０の指示により、メタデータを画像データに関連付けてＨＤＤ１９０または外部記憶装置２００に記録する際に、メタデータを画像データとは別のデータとして記録するようにしてもよい。
【００９３】
また、図３に示した一覧表示の他の画像についてメタデータ付与を実行するのであれば、制御部１１０はステップ１に戻り画像の選択から同様の手順を繰り返す（図２Ｓ２０でＹ）。他の画像についてのメタデータ付与を実行しないのであれば、以上の処理を終了する（図２Ｓ２０でＹ）。
【００９４】
なお、以上の実施形態において、表示部１８０の表示画面に表示している画像の「構図」の候補をメタデータの選択肢として表示し、表示されている画像の構図の候補についてオペレータからの選択を操作部１７０を介して受け付け、画像の構図の候補について選択された選択肢をメタデータとして記録することも可能である。
【００９５】
ここで、「構図」とは、
・風景：上半分空、山、…、
・ポートレイト：一人、二人、三人、…、
・建築物：右半分建物、左半分建物、…、
・光量分布：ストロボ撮影、逆光、…、
などが該当する。
【００９６】
このように、画像と共に構図の候補を表示しておき、構図の候補の選択を操作部１７０から受け入れることで、画像の構図の候補について、簡易な手法で正確に入力することが可能になる。
【００９７】
以上の実施形態により、画像に関するメタデータを簡易な手法で正確に入力することが可能になる。また、画像に含まれる被写体となっている物体の種類と位置情報とが簡易な手法で正確に入力することが可能になる。また、画像に含まれる被写体となっている物体の種類とそれに含まれる各部位と位置情報とについて、簡易な手法で正確に入力することが可能になる。また、画像の被写体となっている物体の位置もしくは大きさを特定できない場合であっても、その情報を簡単に入力することが可能になる。また、画像の被写体となっている物体の位置もしくは大きさを特定できない場合であっても、理由の候補の選択によって、その情報を簡単に入力することが可能になる。また、被写体の角度について、簡易な手法で正確に入力することが可能になる。また、画像の被写体となっている物体の角度について特定できない場合であっても、その情報を簡単に入力することが可能になる。また、画像の被写体となっている物体の角度について特定できない場合であっても、理由の候補の選択によって、その情報を簡単に入力することが可能になる。また、画像や被写体や被写体部位に関して任意の文字列による各種のメタデータを簡易な手法で入力することが可能になる。
【００９８】
なお、以上の実施形態において、位置情報と共に、被写体部分とそれ以外の画像部分とを識別する情報（物体を識別する情報）を、メタデータとして付与して画像データと関連付けて記録するようにしてもよい。
【００９９】
〈第二実施形態〉
例えば、複数のオペレータがメタデータ付与に関する入力作業を行う場合、同じ画像、同じ物体に対して入力した位置情報などがオペレータによって異なる場合がある。また、同じオペレータが、同じ画像、同じ物体に対して入力した位置情報が入力するたびに異なる場合がある。
【０１００】
そこで、特定の時刻毎に一度、あるいは、一定時間経過毎に一度、制御部１１０の指示により、通常のメタデータ付与対象とは別のテスト用画像を表示部１８０の表示画面に表示する。そして、制御部１１０は、オペレータに対して、メタデータ付与のための選択肢を入力するようになテスト受付画面を表示部１８０の表示画面に表示する。
【０１０１】
このテスト用画像に基づいて入力されたメタデータの選択肢は、制御部１１０の指示により、通常のメタデータ付与対象の画像のメタデータとは異なる場所に、入力作業者、入力時間とともにＨＤＤ１９０に記録する。制御部１１０は、そのメタデータを、蓄積し、入力作業者間、入力時間間での差分、もしくは統計値を検出することによって、オペレータ個人の癖を把握する。差分が大きい人物によって、もしくは、時間帯に入力されたメタデータは信頼度が低いとして、再入力するように画面を制御する。
【０１０２】
または、初回の入力値と収束した入力値との間にずれる傾向がある場合には、その傾向（差分）から補正値を抽出しておく。もしくは、時間と比例して、位置情報が一定方向にずれる傾向がある場合は、制御部１１０は、その傾向を補正値としてＨＤＤ１９０に記録しておく。そして、通常のメタデータ付与の際に、制御部１１０は、前記補正値に従って、入力済みの位置情報などのメタデータを修正する。
【０１０３】
このように、通常のメタデータの入力を、テスト用画像データのメタデータ付与に基づいて得た補正値で補正することで、安定した入力値の傾向に応じた補正が可能になり、より正確なメタデータの入力が可能になる。
【０１０４】
〈第三実施形態〉
この第三実施形態では、自動的に画像を認識してメタデータを抽出する自動認識手段を制御部１１０内に備えておく。
【０１０５】
そして、以上の第一実施形態でオペレータによる選択肢の選択によって得られたメタデータと、自動認識手段により抽出されたメタデータとを比較する比較手段を制御部１１０内に備えておく。
【０１０６】
さらに、比較手段で比較された結果を用いて、自動認識手段が抽出したメタデータについての評価を行う評価手段を制御部１１０内に備えておく。
このように、オペレータにより入力されたメタデータと自動認識されたメタデータとを比較することで、自動認識手段で自動認識されたメタデータを評価することが可能になり、統計をとること等により自動認識の弱点などを把握することが可能になる。
【０１０７】
たとえば、第一実施形態によって、顔を囲む矩形領域をメタデータとして画像に付与する場合を想定する。ここでは、メタデータとして画像に付与された、顔を囲む矩形領域を正解顔領域（図１０実線）とする。一方、顔矩形領域を検出する自動認識技術としては、例えば、特開２００４−２３４６８９号公報に記載されたものを採用することが可能である。この自動認識技術によって得られた顔領域を自動検出顔領域（画像データから自動認識して得られたメタデータ）とする（図１０一点鎖線）。
【０１０８】
そして、制御部１１０内の比較手段により、正解顔領域と自動検出顔領域とを比較して、評価値検出率と誤検出数を算出する。検出率は、自動検出顔領域のうち正解領域との重複が最も大きい領域について、次の式によって算出する。
検出率＝（正解顔領域と自動検出顔領域の重複面積）／正解領域の面積，
また、誤検出数は、自動検出顔領域のうち正解領域と重複しなかった領域の数をカウントすることによって算出する。なお、ここに示した評価の指標は一例であって、これに限るものではない。この場合、自動検出顔領域、評価値（評価値検出率と誤検出数）をメタデータとして画像に付与する。
【０１０９】
また、顔を囲む矩形領域以外に、顔に含まれる眉や目の位置ををメタデータとして画像に付与する場合には、位置に関しても同様にして検出率を求める。
以上のようにして、オペレータにより入力（手動入力）されたメタデータと自動認識手段により抽出（自動認識）されたメタデータとを比較・評価した際に、手動入力されたメタデータ、もしくは、自動認識されたメタデータの少なくとも一方と、制御部１１０内に設けられた比較手段で比較された比較結果データ（一致度、類似度など）とを、画像データに関連付けてＨＤＤ１９０または外部記憶装置２００に記録しておく。
【０１１０】
なお、以上のような評価を行う場合には、比較結果データ（一致度、類似度など）を、本来のメタデータに追記する形で記録することが望ましい。
また、以上のようにして、オペレータにより入力（手動入力）されたメタデータと自動認識手段により抽出（自動認識）されたメタデータとを比較・評価した際に、自動認識の条件（用いたプログラムのバージョン,用いた学習データ、評価日など）を、記録されたメタデータに追記することが望ましい。
【０１１１】
また、以上のようにして、オペレータにより入力（手動入力）されたメタデータと自動認識手段により抽出（自動認識）されたメタデータとを比較・評価した際に、異なった条件で再び評価した場合には、メタデータに追記されている評価結果を、新たに評価した結果によって更新することが望ましい。
【０１１２】
また、以上のようにして、オペレータにより入力（手動入力）されたメタデータと自動認識手段により抽出（自動認識）されたメタデータとを比較・評価した際に、異なった条件で再び評価した場合には、メタデータに追記されている評価結果を履歴として残しつつ、新たに評価した結果を追記することも望ましい。
【０１１３】
以下の、図１１と図１２とは、マークアップ言語としてＸＭＬによって記述された一連のメタデータの例である。ここでは、aaa.jpgという画像データに含まれる被写体として「顔」が選択されており、かつ、被写体の部位として、右眉中央、左眉中央、右目、左目の位置が指定された場合のメタデータの記述の様子を示している。そして、図１１は正解に関するメタデータの部分であり、図１２は自動検出によるメタデータの部分と評価結果（検出率、誤検出数）とを含む部分である。
【０１１４】
なお、以上の第三実施形態において、正解顔領域と同時に、性別(男性・女性)、眼鏡の有無等の情報もメタデータに付与した場合には、評価結果と性別等の情報を照らし合わせることによって、評価対象となる自動認識手段のアルゴリズムが得意、不得意とする画像の傾向を調査することもできるようになる。
【０１１５】
〈第四実施形態〉
この第四実施形態では、以上の第一実施形態のように操作部１７０を介してオペレータから入力されたメタデータから、メタデータ付与のための自動認識に用いる学習データを作成する学習データ作成手段を制御部１１０内に備える。そして、この学習データ作成手段により作成された学習データによって学習する自動認識学習手段を更に制御部１１０内に備える。そして、メタデータ付与に関して、自動認識に関する学習データの作成と、作成された学習データによる学習とを行うようにする。
【０１１６】
ここで、以上の第一実施形態で得られた顔領域を用いて、例えば、特開２００４−２３４６８９号公報に示されるニューラルネットワークの学習データとして入力する顔領域画像を作成する。このようにすることで、メタデータ付与に関して、自動認識に関する学習データの作成と、作成された学習データによる学習とを行うことが可能になる。
【０１１７】
〈第五実施形態〉
この第五実施形態では、以上の第一実施形態のように操作部１７０を介してオペレータから入力されたメタデータから、メタデータ付与のための自動認識に用いる辞書データを作成する辞書データ作成手段を制御部１１０内に備える。そして、この辞書データ作成手段により作成された辞書データによって自動認識する自動認識手段を制御部１１０内に備え、辞書データに基づいた自動認識を行う。
【０１１８】
ここで、顔画像画像で認証を行うような場合、予め認証すべき顔画像（もしくは顔の画像から抽出した特徴量）を辞書データとして記録しておく。その辞書データを、第一実施形態で得られた顔領域を用いて作成する。領域と関連させて人名も付与可能になるので、辞書データが作成可能になる。
【０１１９】
〈第六実施形態〉
この第六実施形態では、以上の第一実施形態のように操作部１７０を介してオペレータから入力されたメタデータから、メタデータ付与のための自動認識に用いるテンプレートを作成するテンプレート作成手段を制御部１１０内に備える。そして、このテンプレート作成手段により作成されたテンプレートによってテンプレートマッチング処理をするテンプレートマッチング処理手段を更に制御部１１０内に備える。そして、メタデータ付与に関して、自動認識に関するテンプレートの作成と、作成されたテンプレートによるテンプレートマッチング処理とを行うようにする。
【０１２０】
たとえば、特開２００２−４４４８９号公報に示されているテンプレートマッチングの方法では、色の特徴量が予め定めた範囲内に入っているか否かで肌色領域を判断している。そこで、肌色という色の特徴量を定めるときに、以上の第一実施形態で得られた顔領域内の色の特徴量を抽出し、肌色という特徴量の範囲を定めるようにする。
【０１２１】
〈第七実施形態〉
この第七実施形態では、制御部１１０の指示により、以上の第一実施形態のように操作部１７０を介してオペレータから入力されたメタデータに従って画像を分類する画像分類手段を制御部１１０内に備えておく。これにより、メタデータの作成と、作成されたメタデータに基づく画像の分類処理とを実行することが可能になる。
【０１２２】
〈その他の実施形態〉
以上の各実施形態では、顔写真や風景写真のような画像を具体例としてきたが、このような種類の画像に限定されるものではない。すなわち、医用画像などにおいて、上述した第一実施形態〜第七実施形態に示したようなメタデータ付与を各種診断に適用することも可能である。
【図面の簡単な説明】
【０１２３】
【図１】本発明の第一実施形態のメタデータ付与装置の構成を示す機能ブロック図である。
【図２】本発明の第一実施形態のメタデータ付与装置の動作（メタデータ付与方法の手順、メタデータ付与プログラムの手順）を示すフローチャートである。
【図３】本願発明の第一実施形態における表示部における表示の様子を中間調の写真を用いて示す説明図である。
【図４】本願発明の第一実施形態における表示部における表示の様子を中間調の写真を用いて示す説明図である。
【図５】本願発明の第一実施形態における表示部における表示の様子を中間調の写真を用いて示す説明図である。
【図６】本願発明の第一実施形態における表示部における表示の様子を中間調の写真を用いて示す説明図である。
【図７】本願発明の第一実施形態における表示部における表示の様子を中間調の写真を用いて示す説明図である。
【図８】本願発明の第一実施形態における表示部における表示の様子を中間調の写真を用いて示す説明図である。
【図９】本発明の第一実施形態のメタデータ付与装置により付与されたメタデータの記述の一例を示す説明図である。
【図１０】本願発明の第三実施形態における手動入力と自動認識とによる領域の違いの様子を模式的に示す説明図である。
【図１１】本発明の第三実施形態のメタデータ付与装置により付与されたメタデータの記述の一例を示す説明図である。
【図１２】本発明の第三実施形態のメタデータ付与装置により付与されたメタデータの記述の一例を示す説明図である。
【符号の説明】
【０１２４】
１００  メタデータ付与装置
１０１  ＣＰＵ
１０２  ＲＯＭ
１０３  ＲＡＭ
１１０  制御部
１７０  操作部
１８０  表示部
１９０  ＨＤＤ
【図１】
2007052575.tif 000003
【図２】
2007052575.tif 000004
【図９】
2007052575.tif 000005
【図１０】
2007052575.tif 000006
【図１１】
2007052575.tif 000007
【図１２】
2007052575.tif 000008
【図３】
2007052575.tif 000009
【図４】
2007052575.tif 000010
【図５】
2007052575.tif 000011
【図６】
2007052575.tif 000012
【図７】
2007052575.tif 000013
【図８】
2007052575.tif 000014